(57)【要約】【課題】原稿の画像読取中に両面読取処理から片面読取処理へ自動的に変更されたことによって読み取られなかった面の画像を後の読取動作によって効率的に読み取らせることが可能な画像読取装置、画像処理装置、画像読取方法、及びプログラムを提供する。【解決手段】画像読取処理において、連続搬送される複数の原稿Ｐの両面を読み取らせる処理を実行中に、片面に白紙が連続するため自動的に片面読取が実行される機能を備えた複合機１００において、制御部５は、白紙と判定された面に画像がある場合に、画像読取部１及びＡＤＦ２に再読取処理を実行させる。再読取処理において、制御部５は、画像読取処理において、片面読取が実行された原稿Ｐの読み取られていない面のみの画像を読み込む（ステップＳ２６）。【選択図】図４
2015122630.tif 000002
【特許請求の範囲】
【請求項１】
原稿載置部に載置された複数の原稿を読取位置へ搬送する原稿搬送部と、
前記読取位置を通過する各原稿の画像を読み取る画像読取部と、
前記画像読取部で読み取られた画像データを記憶する画像データ記憶部と、
前記各原稿の片面の画像を読み取らせる片面読取モード、及び前記各原稿の両面の画像を読み取らせる両面読取モードを有し、前記片面読取モード又は前記両面読取モードの何かによる画像読取を実行する画像読取制御部と、を備え、
前記両面読取モードは、
前記原稿の両面を読み取らせる第１読取モードと、
前記第１読取モードによる画像読取中に前記原稿の一方の面に画像を有しない前記原稿が連続して所定枚数読み取られた場合に、残りの前記原稿の他方の面のみを読み取らせる第２読取モードと、
前記第２読取モードによって他方の面のみが読み取られた前記原稿の一方の面を読み取らせる第３読取モードと、を含み、
前記画像読取制御部は、前記両面読取モードにおいて、前記第１読取モード、前記第２読読取モード、及び前記第３読取モードを選択的に実行する画像読取装置。
【請求項２】
前記第３読取モードの実行指示を受け付ける受付部と、
前記画像読取制御部は、前記受付部によって前記第３読取モードの実行指示が受け付けられた場合に、前記第３読取モードによる画像読取を実行する請求項１に記載の画像読取装置。
【請求項３】
前記画像データ記憶部は、前記第２読取モードによって読み取られた前記原稿の一方の面の画像データと、前記第３読取モードによって読み取られた前記原稿の他方の画像データとを記憶し、
前記画像データ記憶部に記憶された前記一方の面の画像データと前記他方の面の画像データとを関連付けて１つの合成両面画像データに編集する画像編集部と、
を更に備える請求項１又は２に記載の画像読取装置。
【請求項４】
前記画像データ記憶部は、前記第１読取モードによって読み取られた前記原稿の両面画像データを記憶し、
前記画像編集部は、前記画像データ記憶部に記憶された前記原稿の両面画像データの最後に、前記合成両面画像データの先頭を関連付ける請求項３に記載の画像読取装置。
【請求項５】
前記原稿搬送部は、前記原稿載置部に載置された前記原稿の表面側を所定の読取位置に向けた状態で前記読取位置を通過させた後に、前記原稿を反転させて前記原稿の裏面側を前記読取位置に向けた状態で前記読取位置を通過させて搬送することが可能である請求項１〜４の何れかに記載の画像読取装置。
【請求項６】
前記画像読取部は、
前記原稿搬送部により搬送される前記原稿の一方の面を読み取る第１読取部と、
前記原稿搬送部により搬送される前記原稿の他方の面を読み取る第２読取部と、
を有する請求項１〜４の何れかに記載の画像読取装置。
【請求項７】
前記第２読取モードによる画像読取を実行したことを報知する報知部を更に備えた請求項１〜６の何れかに記載の画像読取装置。
【請求項８】
請求項１〜７の何れかに記載の画像読取装置と、
前記画像読取部によって読み取られた前記原稿の画像をシートに形成する画像形成装置と、
を備えた画像処理装置。
【請求項９】
原稿載置部に載置された複数の原稿を原稿搬送部によって読取位置へ搬送させて、前記読取位置を通過する各原稿の両面の画像を画像読取部に読み取らせる第１読取ステップと、
前記第１読取ステップによる読取中に、前記原稿の一方の面に画像を有しない前記原稿が連続して所定枚数読み取られたか否かを判定する判定ステップと、
前記判定ステップにおいて、前記所定枚数読み取られたと判定されると、残りの前記原稿の他方の面のみを前記画像読取部に読み取らせる第２読取ステップと、
前記第２読取ステップが実行された場合に、前記第２読取ステップによって他方の面のみが読み取られた前記原稿の一方の面を前記画像読取部に読み取らせる第３読取ステップと、
を含む画像読取方法。
【請求項１０】
画像読取装置を制御するコンピューターに、
原稿載置部に載置された複数の原稿を原稿搬送部によって読取位置へ搬送させて、前記読取位置を通過する各原稿の両面の画像を画像読取部に読み取らせる第１読取ステップと、
前記第１読取ステップによる読取中に、前記原稿の一方の面に画像を有しない前記原稿が連続して所定枚数読み取られたか否かを判定する判定ステップと、
前記判定ステップにおいて、前記所定枚数読み取られたと判定されると、残りの前記原稿の他方の面のみを前記画像読取部に読み取らせる第２読取ステップと、
前記第２読取ステップが実行された場合に、前記第２読取ステップによって他方の面のみが読み取られた前記原稿の一方の面を前記画像読取部に読み取らせる第３読取ステップと、
を実行させるためのプログラム。
【発明の詳細な説明】
【技術分野】
【０００１】
本発明は、自動原稿送り装置を用いて複数の原稿の両面を読み取ることが可能な画像読取装置、前記画像読取装置を備えた画像処理装置、画像読取方法、及びプログラムに関する。
【背景技術】
【０００２】
自動原稿送り装置（ＡＤＦ：Auto Document Feeder）を備えた画像読取装置は、複数の原稿の両面を連続的に読み取ることが可能なものがある。このような画像読取装置では、複数の原稿を連続的に読み取らせる際に、ユーザーは、片面読取処理で原稿の画像を読み取らせるか、或いは両面読取処理で原稿の画像を読み取らせるかを予め設定する。複数の原稿の片面のみに画像がある場合、ユーザーは片面読取処理を設定し、複数の原稿の両面に画像がある場合、ユーザーは両面読取処理を設定して、前記画像読取装置に原稿の画像を読み取らせる。複数の原稿の表面のみに画像がある場合、ユーザーが誤って両面読取処理を設定して原稿の画像を読み取らせたり、又は初期設定である両面読取処理のまま原稿の画像を読み取らせたりすると、原稿の白紙面を読み取る無駄な処理を前記画像読取装置がする。例えば、原稿を反転搬送することによって前記画像読取装置の読取領域に原稿の両面を順番に通過させるＡＤＦを備えた場合、白紙面である裏面を読み取るための反転搬送が無駄に行われる。また、搬送される原稿の両面を同時に読み取る二つの撮像部を備えた前記画像読取装置の場合、一方の撮像部によって白紙面である裏面を読み取る動作や読み取られた白紙面の画像を記憶する処理が無駄に行われる。
【０００３】
特許文献１には、両面読取処理で原稿の画像が読み取られる際に、裏側に白紙面を有する原稿が設定枚数連続すると判定された場合に、画像がある表面のみを読み取る片面読取処理に変更する画像読取装置が開示されている。
【先行技術文献】
【特許文献】
【０００４】
【特許文献１】特開２０１１−７７７８６号公報
【発明の概要】
【発明が解決しようとする課題】
【０００５】
前記特許文献１に記載の画像読取装置では、両面印刷された原稿と片面印刷された原稿とが混在する原稿を両面読取させる場合に、片面印刷された原稿が連続して設定枚数続いたために、両面読取処理から表面のみ読み取る片面読取処理に変更される。片面読取処理に変更された後に搬送される原稿の裏面に画像が存在していてもその画像は読み取られない。読み取られていない裏面の画像を読み取る必要があるユーザーは、両面読取をやり直すために両面読取処理から片面読取処理に変更されないように設定をしてから、前記画像読取装置に画像読取又はコピーさせる必要がある。具体的に、画像読取のときは、全ての原稿の画像を両面読取処理で読み取らせて記憶部に記憶させる必要がある。また、コピーのときは、片面読取処理に変更された後の原稿の画像を両面読取処理で読み取らせて用紙の両面に画像を形成させる必要がある。このように、両面読取処理から片面読取処理に変更された後に、両面読取処理による原稿の読み取りをやり直す際に、重複する画像読取が行われて時間が無駄になったり、表面のみに画像が形成された用紙が無駄になったりする問題がある。
【０００６】
本発明の目的は、原稿の画像読取中に両面読取処理から片面読取処理へ自動的に変更されたことによって読み取られなかった面の画像を後の読取動作によって効率的に読み取らせることが可能な画像読取装置、画像処理装置、画像読取方法、及びプログラムを提供することにある。
【課題を解決するための手段】
【０００７】
本発明の一の局面に係る画像読取装置は、原稿搬送部、画像読取部、画像データ記憶部、及び画像読取制御部を備える。原稿搬送部は、原稿載置部に載置された複数の原稿を読取位置へ搬送する。前記画像読取部は、前記読取位置を通過する各原稿の画像を読み取る。前記画像データ記憶部は、前記画像読取部で読み取られた画像データを記憶する。前記画像読取制御部は、前記各原稿の片面の画像を読み取らせる片面読取モード、及び前記各原稿の両面の画像を読み取らせる両面読取モードを有し、前記片面読取モード又は前記両面読取モードの何れかによる画像読取を実行する。前記両面読取モードには、前記原稿の両面を読み取らせる第１読取モードと、前記第１読取モードによる画像読取中に前記原稿の一方の面に画像を有しない前記原稿が連続して所定枚数読み取られた場合に、残りの前記原稿の他方の面のみを読み取らせる第２読取モードと、前記第２読取モードが実行された場合に、前記第２読取モードによって他方の面のみが読み取られた前記原稿の一方の面を読み取らせる第３読取モードと、を含む。前記画像読取制御部は更に、前記両面読取モードにおいて、前記第１読取モード、前記第２読読取モード、及び前記第３読取モードを選択的に実行する。
【０００８】
本発明の他の局面に係る画像形成装置は、本発明の一の局面に係る前記画像読取装置及び画像形成装置を備える。前記画像形成装置は、前記画像読取部によって読み取られた前記原稿の画像をシートに形成する。
【０００９】
本発明の他の局面に係る画像読取方法は、第１読取ステップ、判定ステップ、第２読取ステップ、及び第３読取ステップを含む。前記第１読取ステップは、原稿載置部に載置された複数の原稿を原稿搬送部によって読取位置へ搬送させて、前記読取位置を通過する各原稿の両面の画像を画像読取部に読み取らせる。前記判定ステップは、前記第１読取ステップによる読取中に、前記原稿の一方の面に画像を有しない前記原稿が連続して所定枚数読み取られたか否かを判定する。前記第２読取ステップは、前記判定ステップにおいて、前記所定枚数読み取られたと判定されると、残りの前記原稿の他方の面のみを前記画像読取部に読み取らせる。第３読取ステップは、前記第２読取ステップが実行された場合に、前記第２読取ステップによって他方の面のみが読み取られた前記原稿の一方の面を前記画像読取部に読み取らせる。
【００１０】
本発明の他の局面に係るプログラムは、画像読取装置を制御するコンピューターに、第１読取ステップ、判定ステップ、第２読取ステップ、及び第３読取ステップを実行させるためのものである。前記第１読取ステップは、原稿載置部に載置された複数の原稿を原稿搬送部によって読取位置へ搬送させて、前記読取位置を通過する各原稿の両面の画像を画像読取部に読み取らせる。前記判定ステップは、前記第１読取ステップによる読取中に、前記原稿の一方の面に画像を有しない前記原稿が連続して所定枚数読み取られたか否かを判定する。前記第２読取ステップは、前記判定ステップにおいて、前記所定枚数読み取られたと判定されると、残りの前記原稿の他方の面のみを前記画像読取部に読み取らせる。第３読取ステップは、前記第２読取ステップが実行された場合に、前記第２読取ステップによって他方の面のみが読み取られた前記原稿の一方の面を前記画像読取部に読み取らせる。
【発明の効果】
【００１１】
本発明によれば、原稿の画像読取中に両面読取処理から片面読取処理へ自動的に変更されたことによって読み取られなかった面の画像を後の読取動作によって効率的に読み取らせることができる。
【図面の簡単な説明】
【００１２】
【図１】本発明の第１実施形態に係る複合機の概略構成を示す図。
【図２】制御部の機能ブロック図。
【図３】制御部によって実行される画像読取処理の手順の一例を示すフローチャート。
【図４】制御部によって実行される再画像読取処理の手順の一例を示すフローチャート。
【図５】複数の原稿の表裏に画像が形成されたパターンの一例を示す図。
【図６】複数の原稿の表裏に画像が形成されたパターンの他の一例を示す図。
【図７】本発明の第２実施形態に係る画像読取装置の概略構成を示す図。
【発明を実施するための形態】
【００１３】
以下、添付図面を参照しながら、本発明の実施形態について説明し、本発明の理解に供する。
【００１４】
［複合機１００の概略構成］
まず、本発明の実施形態の複合機１００の概略構成について説明する。図１に示されるように、複合機１００は、画像読取部１（本発明の画像読取部又は第１読取部の一例）、ＡＤＦ（Automatic Document Feeder）２、画像形成部３（本発明の画像形成装置の一例）、給紙部４、制御部５、及び操作表示部６などを備えている。ＡＤＦ２は本発明の原稿搬送部の一例である。操作表示部６は、制御部５からの制御指示に従って各種の情報を表示し、ユーザー操作に応じて制御部５に各種の情報を入力するタッチパネルなどである。ここで、図１（Ａ）は、複合機１００の正面図であり、図１（Ｂ）は、画像読取部１の平面図である。なお、説明の便宜上、複合機１００が使用可能に設置された状態の鉛直方向を上下方向７と定義し、操作表示部６が設けられている側を手前側（正面）として前後方向８を定義し、操作表示部６を正面として左右方向９を定義する。また、複合機１００は、本発明の画像読取装置の一例に過ぎず、例えば、スキャナー、ＦＡＸ装置、複写機などであってもよい。
【００１５】
画像読取部１は、原稿Ｐから画像データを取得する。画像読取部１は、原稿カバー２Ａ、コンタクトガラス１１、読取ユニット１２、ミラー１３、ミラー１４、光学レンズ１５、及びＣＣＤ（Charge Coupled Device）１６などを備えた画像読取手段である。コンタクトガラス１１は、画像読取部１の上面に設けられており、複合機１００の画像読取対象となる原稿Ｐが載置される透明な用紙台である。
【００１６】
原稿カバー２Ａは、必要に応じてコンタクトガラス１１を覆うものである。そして、画像読取部１は、制御部５によって制御されることによって、コンタクトガラス１１上に載置された原稿Ｐから画像を読み取る。
【００１７】
読取ユニット１２は、ＬＥＤ光源１２１及びミラー１２２を備えており、ステッピングモーターなどの不図示の移動機構によって副走査方向（図１における左右方向９であり、以下副走査方向９と称す）へ移動可能に構成されている。そして、前記移動機構によって読取ユニット１２が副走査方向９に移動されると、ＬＥＤ光源１２１からコンタクトガラス１１に向けて照射される光が副走査方向９に走査される。
【００１８】
ＬＥＤ光源１２１は、複合機１００の主走査方向（図１における前後方向８であり、以下主走査方向８と称す）に沿って配列された多数の白色ＬＥＤを備えている。ＬＥＤ光源１２１は、コンタクトガラス１１上の読取位置１２Ａにある原稿Ｐに向けて１ライン分の白色光を照射する。なお、読取位置１２Ａは、読取ユニット１２の副走査方向９への移動に伴って副走査方向９へ移動する。
【００１９】
ミラー１２２は、ＬＥＤ光源１２１から読取位置１２Ａにある原稿Ｐに光を照射したときの反射光をミラー１３に向けて反射させる。そして、ミラー１２２で反射した光は、ミラー１３及びミラー１４によって光学レンズ１５に導かれる。光学レンズ１５は、入射した光を集光してＣＣＤ１６に入射させる。
【００２０】
ＣＣＤ１６は、受光した光をその光量に応じた電気信号（電圧）に変換して制御部５に出力する光電変換素子である。具体的には、ＣＣＤ１６は、ＬＥＤ光源１２１から光が照射されたときに原稿Ｐの一方の面から反射した光に基づいて原稿Ｐの画像に対応する電気信号に基づいて画像データを生成する。
【００２１】
ＡＤＦ２は、原稿カバー２Ａに設けられている。ＡＤＦ２は、原稿トレイ２１（本発明の原稿載置部の一例）、給送機構２２、複数の搬送ローラー２３、原稿押さえ２４、排紙部２５、ＣＩＳ（Contact Image Sensor）２６、及び白基準ローラー２７などを備えた自動原稿送り装置である。ＣＩＳ２６は本発明の画像読取部又は第２読取部の一例である。原稿トレイ２１は、搬送される複数の原稿Ｐが載置される。ＡＤＦ２は、給送機構２２及び搬送ローラー２３各々を不図示のステッピングモーターで駆動させることによって、原稿トレイ２１にセットされた複数の原稿Ｐを順番にコンタクトガラス１１上の読取位置１２Ａを通過させて排紙部２５まで連続搬送される。この際、複数の原稿Ｐに対して、画像読取部１は、読取位置１２Ａを通過する原稿Ｐの表面の画像が読み取られる。ここで、表面とは、原稿トレイ２１に載置された原稿Ｐの両面のうち上側を向いた面であり、画像読取部１により読み取られる面である。
【００２２】
原稿押さえ２４は、コンタクトガラス１１上の読取位置１２Ａの上方に原稿Ｐが通過できる間隔を隔てた位置に設けられている。原稿押さえ２４は、主走査方向８に長尺状に形成されており、その下面（コンタクトガラス１１側の面）には白色のシートが貼り付けられている。複合機１００では、前記白色のシートの画像データが白色基準データとして読み取られる。前記白色基準データは、周知のシェーディング補正などで用いられる。
【００２３】
ＣＩＳ２６は、焦点距離が短い密着型のイメージセンサーである。ＣＩＳ２６は、ＡＤＦ２で搬送される原稿Ｐの裏面から画像データを読み取る。従って、複合機１００では、画像読取部１及びＣＩＳ２６によって、ＡＤＦ２による原稿Ｐの搬送中にその原稿Ｐの表面及び裏面の画像データを取得することができる。裏面とは、原稿トレイ２１に載置された原稿Ｐの両面のうち下側を向いた面であり、ＣＩＳ２６により読み取られる面である。
【００２４】
ＣＩＳ２６は、コンタクトガラス、白色光源、レンズアレイ、ラインセンサー、及びこれらを収容するユニット筐体などを備えている。前記白色光源は、制御部５により制御されて、原稿Ｐに光を照射する。また、前記白色光源は、主走査方向８全域に対応する幅の光に拡散して原稿Ｐに照射する導光部材（不図示）が設けられている。前記レンズアレイは、例えば棒状のレンズを用いたロッドレンズアレイであり、原稿Ｐから反射した光を前記ラインセンサーに正立像として結像させる。前記ラインセンサーは、入射される光を電気信号に変換する多数の光電変換素子が主走査方向８に配列されたＣＭＯＳイメージセンサーであり、原稿Ｐから反射された光を受光すると、その受光両に応じた画像データを制御部５に出力する。白基準ローラー２７は、ＣＩＳ２６の対向箇所に配置されている。これにより、ＣＩＳ２６による原稿Ｐの画像読み取り時には、原稿Ｐが前記白基準ローラー２７で押圧されてＣＩＳ２６の前記コンタクトガラスに密着した状態となる。また、白基準ローラー２７は、その表面全体が一様に白色であって、ＣＩＳ２６における白基準データを取得するために用いられる。
【００２５】
画像形成部３は、画像読取部１及びＣＩＳ２６で読み取られた画像データ、又は外部のパーソナルコンピューターなどの情報処理装置から入力された画像データに基づいて画像形成処理（印刷処理）を実行する電子写真方式の画像形成手段である。画像形成部３は、感光体ドラム３１、帯電装置３２、ＬＳＵ（Laser Scanner Unit）３３、現像装置３４、転写装置３５、除電装置３６、定着ローラー３７、及び加圧ローラー３８などを備えている。
【００２６】
画像形成部３では、給紙部４から給送された用紙Ｓに以下の手順で画像が形成され、画像形成後の用紙Ｓは排紙トレイ４０に排紙される。具体的には、まず、帯電装置３２によって感光体ドラム３１が所定の電位に一様に帯電される。次に、ＬＳＵ３３によって感光体ドラム３１の表面に画像データに基づく光が照射される。これにより、感光体ドラム３１の表面に静電潜像が形成される。そして、感光体ドラム３１上の静電潜像は現像装置３４によってトナー像として現像（可視像化）される。続いて、感光体ドラム３１に形成されたトナー像は転写装置３５によって用紙Ｓに転写される。その後、用紙Ｓに転写されたトナー像は、その用紙Ｓが定着ローラー３７及び加圧ローラー３８の間を通過して排出される際に定着ローラー３７で加熱されて用紙Ｓに溶融定着する。感光体ドラム３１の電位は除電装置３６で除電される。
【００２７】
給紙部４は、画像形成部３において画像が形成される用紙Ｓを給送する。給紙部４は、不図示のカセット装着部に装着された不図示の給紙カセットに載置された複数の用紙Ｓを一枚ずつ画像形成部３に給送する。
【００２８】
［制御部５の構成］
制御部５は、複合機１００を統括制御するものである。図１に示されるように、制御部５は、ＣＰＵ５Ａ、ＲＯＭ５Ｂ、ＲＡＭ５Ｃ、ＥＥＰＲＯＭ５Ｄ、及びドライバー５Ｅなどを主な構成要素とするマイクロコンピュータとして構成されている。なお、制御部５は、集積回路（ＡＳＩＣ、ＤＳＰ）などの電子回路で構成されたものであってもよい。
【００２９】
制御部５は、複合機１００の内部において、画像読取部１、ＡＤＦ２、画像形成部３、給紙部４、及び操作表示部６などに接続されており、これらの構成要素を制御する。また、制御部５は、画像読取部１やＡＤＦ２を構成する各要素、具体的には、読取ユニット１２、ＣＣＤ１６、給送機構２２、複数の搬送ローラー２３、ＣＩＳ２６、及び白基準ローラー２７などに接続されている。ＲＯＭ５Ｂには、後述する画像読取処理及び再画像読取処理を実行するためのプログラムが記憶されている。ＣＰＵ５Ａは、ＲＯＭ５Ｂ内の制御プログラムを実行することによって、制御部５に接続された各要素を制御して、原稿トレイ２１に載置された複数の原稿Ｐの画像を読み取る。その際に、ドライバー５Ｅは、ＣＰＵ５Ａの指示により搬送ローラー２３各々及び白基準ローラー２７を駆動させるステッピングモーターを制御する。
【００３０】
本実施形態では、ＣＰＵ５Ａは、ＲＯＭ５Ｂに記憶された前記プログラムを実行することにより、前記画像読取処理及び前記再画像読取処理を実行する。また、ＣＰＵ５Ａが前記プログラムを実行することにより、前記画像読取処理及び前記再画像読取処理において、制御部５は、第１読取制御部５１、判定部５２、第２読取制御部５３、記憶部５４（本発明の画像データ記憶部の一例）、受付部５５（本発明の受付部の一例）、第３読取制御部５６、画像編集部５７（本発明の画像編集の一例）、及び報知部５８（本発明の報知部の一例）として機能する。第１読取制御部５１、判定部５２、第２読取制御部５３、及び第３読取制御部５６が本発明の画像読取制御部の一例である。本発明の前記画像読取制御部は、原稿Ｐの片面の画像を読み取らせる片面読取モード、及び原稿Ｐの両面の画像を読み取らせる両面読取モードを有し、前記片面読取モード又は前記両面読取モードの何れかによる画像読取を実行する。ここに、前記片面読取モードは、ユーザーの設定により搬送される複数の原稿Ｐの全てに対して画像読取部１に片面読取処理を実行させる制御モード（制御状態）である。また、前記両面読取モードは、予め定められた読取処理である第１読取処理乃至第３読取処理を画像読取部１及びＣＩＳ２６に実行させる制御モードである。なお、第１読取処理乃至第３読取処理については後述する。
【００３１】
さらに、本発明の前記画像読取制御部は、前記両面読取モードにおいて、第１読取制御部５１による処理、第２読取制御部５３による処理、及び第３読取制御部５６による処理を選択的に実行する。第１読取制御部５１の処理は、判定部５２の処理と並行して実行される。これらの具体的な処理については後述する。なお、ＥＥＰＲＯＭ５Ｄには、前記プログラムの他に、前記画像読取処理及び前記再画像読取処理に用いられる連続白色枚数を判別するための設定枚数（本発明の所定枚数の一例）などが記憶されている。
【００３２】
第１読取制御部５１は、ＡＤＦ２によって搬送される複数の原稿Ｐの両面を画像読取部１及びＣＩＳ２６に読み取らせる第１読取処理を行なわせるように画像読取部１及びＣＩＳ２６を制御する。第１読取制御部５１による前記第１読取処理は、判定部５２によって白紙面が連続すると判定されるまで続けられる。なお、前記第１読取処理を行う制御モードのことを第１読取モードと称する。
【００３３】
判定部５２は、画像読取部１及びＣＩＳ２６によって原稿Ｐの両面を読み取らせている画像読取中に、連続搬送される原稿Ｐにおける表面又は裏面の同じ側に画像を有しない原稿Ｐが連続して前記設定枚数だけ読み取られたか否かを判定する。ここで、画像を有しない同じ側の面を第１面と称する。判定部５２によって、原稿Ｐの表面又は裏面に対して画像読取部１及びＣＩＳ２６により画像の読み取り処理を行う必要が有るか無いかが判定される。なお、具体的な判定方法は、図３に示される前記画像読取処理のフローチャートにおけるステップＳ６〜Ｓ１０の説明とともに後述する。
【００３４】
第２読取制御部５３は、前記第１読取処理で原稿Ｐの両面を読み取らせた後に、読み取られていない残りの原稿Ｐに対して前記第１面の反対側の画像がある第２面のみを読み取らせる第２読取処理を行なわせるように画像読取部１及びＣＩＳ２６を制御する。つまり、第２読取処理では、残りの原稿Ｐに対して片面だけを読み取らせる片面読取処理を行う。なお、前記第２読取処理を行う制御モードのことを第２読取モードと称する。第２読取制御部５３は、複数の原稿Ｐの画像がない前記第１面の読取をしないように画像読取部１及びＣＩＳ２６を制御することによって、画像の読み取り処理を効率化することができる。
【００３５】
受付部５５は、前記第２読取モードでの前記第２読取処理が終了した後に、再読取信号（本発明の第３読取モードでの処理を実行させる実行指示の一例）を受け付ける。具体的には、受付部５５は、読み取られなかった残りの原稿Ｐの白紙と判断された一方の面のみを読み取らせるための再読取信号を操作表示部６から受け付ける。前記再読取信号には、様々なものがある。例えば、前記再読取信号は、第３読取制御部５６によって画像読取部１又はＣＩＳ２６に複数の原稿Ｐを読み取らせる指示である。また、第１読取制御部５１によって原稿Ｐの画像が読み取られて第１読取両面画像データが記憶部５４に記憶されている状態で、ユーザーによって複数の原稿Ｐの前記画像読取処理が複合機１００に指示される。その際に、前記第２読取処理で残りの原稿Ｐの画像の読み取りが終わった後に入力された読取指示に応じて読み取られた画像の画像データの最初の頁と前記読取指示前に前記第１読取処理によって読み取られた画像の画像データの最初の頁とが一致すると前記再読取信号を発生させる。受付部５５は、画像データの一致により発生した前記再読取信号を受け付ける。このように最初の頁の画像データが一致することは、一般的にユーザーによって複数の原稿Ｐの両面の画像の読み取りをやり直しがされているからである。また、画像読取部１及びＣＩＳ２６に原稿Ｐの画像を読み取らせている最中に、操作表示部６から前記第２読取処理を取り消す取消信号が入力されると前記再読取信号が発生する。一般的にこのような場合、ユーザーは、形成された複数の用紙Ｓが両面コピーから片面コピーに変更されたことに気付き前記取消信号が入力して前記第２読取処理を中止する。その後、画像読取指示が入力されると、両面コピーをやり直していると考えられるからである。このような前記再読取信号を受け付けることによって、前記再読取処理を実行させるか否かを制御部５は判定することができる。
【００３６】
第３読取制御部５６は、受付部５５によって前記再読取信号が受け付けられた場合に、前記第２読取処理によって画像がある前記第２面が読み取られた原稿Ｐの白紙が有ると判定された前記第１面の画像を読み取らせる第３読取処理を行なわせるように画像読取部１又はＣＩＳ２６を制御する。つまり、第３読取処理では、残りの原稿Ｐに対して読み取られていない片面だけを読み取らせる片面読取処理を行う。なお、前記第３読取処理を行う制御モードを以下、第３読取モードと称する。これにより、複数の原稿Ｐの白紙と判定されて読み取られていない面の画像を画像読取部１又はＣＩＳ２６に読み取らせる前記再読取処理を実行することができる。
【００３７】
記憶部５４は、前記第２読取処理で画像読取部１又はＣＩＳ２６に読み取られた残りの原稿Ｐの前記第２面の画像データをＲＡＭ５Ｃに記憶させる。また、記憶部５４は、前記第３読取処理で画像読取部１又はＣＩＳ２６に読み取られた残りの原稿Ｐの前記第１面の画像データをＲＡＭ５Ｃに記憶させる。さらに、記憶部５４は、前記第１読取処理で画像読取部１及びＣＩＳ２６に読み取られた原稿Ｐの両面の前記第１読取両面画像データをＲＡＭ５Ｃに記憶させる。このように、前記第１読取処理による両面の読み取り処理が中止されて、前記第２読取処理が実行される場合に、読み取られた前記第１読取両面画像データが記憶部５４に記憶される。これによって、制御部５は残りの原稿Ｐの画像の読み取り処理をやり直すときに、残りの原稿Ｐの画像が読み取られていない面のみを読み取ることによって、処理を効率化することができる。
【００３８】
画像編集部５７は、ＲＡＭ５Ｃに記憶された前記第２読取処理で読み取られた前記第２面の画像データと前記第３読取処理で読み取られた前記第１面の画像データとを関連付けて合成両面画像データ（本発明の合成両面画像データの一例）に編集する。図５（Ａ）及び図６（Ａ）には、読み取られる複数の原稿Ｐの表裏の画像が示されている。図５（Ｂ）及び図６（Ｂ）には、前記画像読取処理によって読み取られる複数の原稿Ｐの画像が示されている。図５（Ｃ）及び図６（Ｃ）には、前記再画像読取処理によって読み取られる複数の原稿Ｐの画像が示されている。図中の画像Ｆ１及び画像Ｆ１１は、前記第１読取処理で読み取られる原稿Ｐの両面それぞれの画像が示されている。画像Ｆ２及び画像Ｆ１２は、前記第２読取処理で読み取られる原稿Ｐの第２面の画像が示されている。画像Ｆ３及び画像Ｆ１３は、前記第３読取処理で読み取られる原稿Ｐの前記第１面の画像を示している。図５に示される例では、前記第２読取処理で読み取られた表面（前記第２面）の画像Ｆ２が画像データと前記第３読取処理で読み取られた裏面（前記第１面）の画像Ｆ３の画像データとを関連付けて、搬送順の５枚目をＥ，Ｅ’、６枚目をＦ，Ｆ’，・・・１７枚目をＱ，Ｑ’のように表裏が並ぶ前記合成両面画像データにする。図６に示される例では、前記第２読取処理で読み取られた裏面（前記第２面）の画像Ｆ１２の画像データと前記第３読取処理で読み取られた表面（前記第１面）の画像Ｆ１３の画像データを関連付けて、搬送順の８枚目をＨ，Ｈ’、９枚目をＩ，Ｉ’，・・・１７枚目をＱ，Ｑ’のように表裏が並ぶ前記合成両面画像データにする。これによって、制御部５は、原稿Ｐの表面の画像データと裏面の画像データを関連づけて１つの前記合成両面画像データに編集する。
【００３９】
また、画像編集部５７は、前記第１読取処理で読み取られた原稿Ｐの前記第１読取両面画像データの最後のアドレスに前記合成両面画像データの先頭のアドレスを関連付ける。図５に示される例では、前記第１読取処理で読み取られた画像Ｆ１の第１読取両面画像データの４枚目の表面Ｄの裏面（白紙面）の最後のアドレスに、前記第２読取処理で読み取られた画像Ｆ２の画像データの５枚目の表面Ｅの先頭アドレスを関連付けて、１つの両面画像データに編集する。図６に示される例では、前記第１読取処理で読み取られた画像Ｆ１１の第１読取両面画像データの７枚目の裏面Ｇ’の最後のアドレスに、前記第２読取処理で読み取られた画像Ｆ１２の画像データの８枚目の裏面Ｈ’の表面の先頭アドレスを関連付けて、１つの両面画像データに編集する。これによって、複数の原稿Ｐの両面の画像データを搬送される順に並べることができる。
【００４０】
報知部５８は、前記第１読取制御部５１による両面の画像読み取る処理中止して、第２読取制御部５３による前記第２面のみの画像を読み取る前記第２読取処理が実行されることを操作表示部６に表示する。これにより、ユーザーは、前記再読取処理を実行する必要があるか否かを判断することができる。その際に、報知部５８は、前記再読取処理を受け付ける表示を操作表示部６に表示させる。
【００４１】
［画像読取処理及び再画像読取処理］
以下、図３及び図４のフローチャート及び図５及び図６の複数の原稿Ｐの表裏の画像例を参照しつつ、制御部５によって実行される前記画像読取処理及び前記再画像読取処理の手順を説明するとともに、本発明の画像読取方法及びプログラムについて説明する。図３及び図４のフローチャートにおいてステップＳ１，Ｓ２，・・・は処理手順（ステップ）番号を表している。ここに、前記画像読取処理及び前記再画像読取処理を実行するときの制御部５が本発明に係る画像読取制御部、受付部、画像データ記憶部、画像編集部、及び報知部に相当する。また、図５は、複数の原稿Ｐの１枚目から裏面の白紙が連続する例であり、図６は、複数の原稿Ｐの途中から裏面の白紙が連続する例である。なお、ＥＥＰＲＯＭ５Ｄには、連続する白紙を判定する前記設定枚数の設定値が４枚に設定されているものとして説明する。但し、前記設定枚数は、画像読取指示の入力に際して、操作表示部６から入力可能であってもよい。
【００４２】
［画像読取処理］
（ステップＳ１）
ステップＳ１において、制御部５は、複合機１００に入力された画像読取指示の内容が前記両面読取モードか否かを判定する。制御部５は、前記両面読取モードの前記画像読取指示が入力されるまで待つ（Ｓ１のＮＯ側）。一方、制御部５は、入力された前記画像読取指示の内溶が前記両面読取モードであると判定すると、処理をステップＳ２に移行する（Ｓ１のＹＥＳ側）。
【００４３】
（ステップＳ２）
ステップＳ２において、制御部５は、ＡＤＦ２によって搬送される原稿Ｐの枚数を数えるトータルカウンターの値と白紙枚数カウンターの値とをリセットする。ここで、前記トータルカウンターは、前記第１読取モードにおいて前記第１読取処理が実行される原稿Ｐの枚数をカウントする用途に用いられる。また、前記白紙枚数カウンターは、前記第１読取モードにおいて前記第１読取処理の実行中に画像を有しない白紙面を有する原稿Ｐの枚数をカウントする用途に用いられる。これらのカウンターは何れもソフトカウンターとしてＲＯＭ５Ｂ内のプログラムに組み込まれている。なお、前記トータルカウンターの値は、図４に示すステップＳ２５における比較処理に用いられる。前記白紙枚数カウンターの値は、後述のステップＳ１０において前記設定枚数との比較判定処理に用いられる。
【００４４】
（ステップＳ３）
ステップＳ３において、制御部５は、前記第１読取処理を開始する。制御部５は、画像読取部１及びＣＩＳ２６を原稿Ｐの両面の画像を読み取り可能な状態にする。
【００４５】
（ステップＳ４）
ステップＳ４において、制御部５は、ＡＤＦ２に原稿Ｐを一枚搬送させ、画像読取部１のＣＣＤ１６に原稿Ｐの表面を読み取らせ、ＡＤＦ２のＣＩＳ２６に原稿Ｐの裏面を読み取らせる。なお、複合機１００がＣＩＳ２６を備えない場合は、制御部５は、ＡＤＦ２によって原稿Ｐを反転搬送させることによって、画像読取部１に原稿Ｐの両面を読み取らせる。例えば、図５（Ａ）及び図６（Ａ）で示されるような両面に画像が形成された原稿Ｐと片面にのみ画像が形成された原稿Ｐとが混在した複数の原稿Ｐが搬送されて、画像読取部１に原稿Ｐの両面の画像が読み取られる。ここで、ステップＳ４は、本発明の第１読取ステップの一例に相当する。
【００４６】
（ステップＳ５）
ステップＳ５において、制御部５は、ステップＳ４において読み取った原稿Ｐの表面の画像の画像データ及び裏面の画像の画像データが関連付けられた前記第１読取両面画像データをＲＡＭ５Ｃに記憶する。後述するように、前記画像読取処理において制御部５はステップＳ４及びステップＳ５を繰り返し実行する。制御部５は、前記第１読取モードで画像読取部１及びＣＩＳ２６に複数の原稿Ｐの両面を読み取らせるために、ＡＤＦ２に複数の原稿Ｐを連続搬送させる。ステップＳ４及びステップＳ５の処理は、後述するステップＳ１０で白紙枚数が前記設定枚未満と判定され（Ｓ１０のＮＯ側）、且つステップＳ１１で原稿トレイ２１に載置された原稿Ｐがあると判定される（Ｓ１１のＹＥＳ側）場合に、制御部５に繰り返し実行される。なお、ＲＡＭ５Ｃに記憶する代わりに、画像形成部３によって用紙Ｓに両面の画像を形成してもよい。
【００４７】
（ステップＳ６〜Ｓ９）
ステップＳ６において、制御部５は、ＡＤＦ２により搬送される原稿Ｐにおける表面側又は裏面側に画像を有しない白紙面（前記第１面）の原稿Ｐがあるか否かを判定する。具体的には、ＲＡＭ５Ｃに記憶された表面又は裏面の各画像データの全画素数に含まれる画像情報がある画素数の割合が所定の値以下の場合に、その面は画像を有しない白紙面であると、制御部５は判定する。白紙面の原稿Ｐがあると判定すると、制御部５は処理をステップＳ７に移行する（Ｓ６のＹＥＳ側）。ステップＳ７において、制御部５は、前記白紙枚数カウンターの値をインクリメントして、処理をステップＳ９に移行する。一方、白紙面の原稿Ｐがないと判定すると、制御部５は処理をステップＳ８に移行する（Ｓ６のＮＯ側）。ステップＳ８において、制御部５は、前記白紙枚数カウンターの値をリセットにして、処理をステップＳ９に移行する。次に、ステップＳ９において、制御部５は、前記トータルカウンターの値をインクリメントする。
【００４８】
（ステップＳ１０）
ステップＳ１０において、制御部５は、搬送される原稿Ｐにおける同じ側の面に原稿を有しない白紙面の原稿Ｐが連続して前記設定枚数に達するまで読み取られているか否かを判定する。具体的には、制御部５は、前記白紙枚数カウンターの値と前記設定枚数とを比較して、一致するか否かを判定する。図５及び図６の例では、前記白紙枚数カウンターの値が、前記設定枚数の４と一致するか否かが制御部５に判定される。一致しないと判定すると、制御部５は処理をステップＳ１１に移行する（Ｓ１０のＮＯ側）。一方、一致すると判定すると、制御部５は、処理をステップＳ１２に移行する（Ｓ１０のＹＥＳ側）。なお、ステップＳ６〜Ｓ１０は、本発明の判定ステップの一例に相当する。ステップＳ６〜Ｓ１０を実行する制御部５が、本発明の判定部５２の一例に相当する。
【００４９】
（ステップＳ１１）
ステップＳ１１において、制御部５は、次の原稿Ｐがあるか否かを判定する。原稿Ｐが有ると判定されると、制御部５は処理をステップＳ４に移行する（Ｓ１１のＹＥＳ側）。一方、原稿Ｐが無いと判定されると、制御部５は処理を終了する（Ｓ１１のＮＯ側）。搬送される複数の原稿Ｐの一方の面に白紙面が前記設定枚数に達するだけ連続しないと制御部５に判定され、全ての原稿Ｐの両面が前記第１読取モードで画像読取部１及びＣＩＳ２６に読み取られる。上述したように、前記画像読取処理（ステップＳ１〜Ｓ１１）が行われることにより、制御部５は、前記両面読取モードのうち前記第１読取モードのみを選択して、前記第１読取処理を実行する。なお、ステップＳ３〜Ｓ１１までの処理は、制御部５が本発明の第１読取モードにおいて実行する第１読取処理に相当する。
【００５０】
（ステップＳ１２）
ステップＳ１２において、制御部５は、前記第１読取処理を中止する。図５（Ｂ）及び図６（Ｂ）に示される例では、一方の面に白紙面が連続して４枚続くまで、制御部５は、画像読取部１及びＣＩＳ２６に前記第１読取モードで原稿Ｐの両面の画像を読み取らせ、ＲＡＭ５Ｃに記憶する。図５（Ｂ）の例では、複数の原稿Ｐが最初から４枚連続して裏面が白紙面であるため、制御部５は、裏面を前記第１面と判定し、反対面の表面を前記第２面と判定する。制御部５は、４枚の原稿Ｐの両面を読み取られせた画像Ｆ１の画像データをＲＡＭ５Ｃに保存した段階で、前記第１読取処理を中止する。図６（Ｂ）の例では、複数の原稿Ｐが最初から３枚は両面に画像があり、その後に４枚連続して裏面が白紙面であるため、制御部５は、表面を前記第１面と判定し、反対面の裏面を前記第２面と判定する。制御部５は、７枚の原稿Ｐの両面を読み取らせた画像Ｆ１１の画像データをＲＡＭ５Ｃに保存した段階で、前記第１読取処理を中止する。
【００５１】
（ステップＳ１３）
ステップＳ１３において、制御部５は、前記第１読取処理を中止し、前記第２読取処理を開始することを操作表示部６に表示させる。これによって、ユーザーは、前記両面読取モードによって読み取らせている複数の原稿Ｐに前記設定枚数以上の白紙が連続していることを知ることができる。なお、ステップＳ１３を実行する制御部５は、報知部の一例に相当する。
【００５２】
（ステップＳ１４）
ステップＳ１４において、制御部５は、前記トータルカウンターの値を第１保存値として保存する。これによって、前記第１読取モードで原稿Ｐの両面の画像が読み取られた原稿Ｐの枚数が保存される。
【００５３】
（ステップＳ１５）
ステップＳ１５において、制御部５は、前記第２読取処理を開始する。制御部５は、画像読取部１及びＣＩＳ２６の何れか一方を原稿Ｐの片面の画像を読み取り可能な状態にし、他方の動作を停止する。これによって、制御部５は、白紙面が続くと判定した面の反対側の面に対してのみ画像を読み取る処理を実行する。
【００５４】
（ステップＳ１６）
ステップＳ１６において、制御部５は、ステップＳ１１と同様に、次の原稿Ｐがあるか否かを判定する。原稿Ｐが有ると判定されると、制御部５は処理をステップＳ１７に移行する（Ｓ１６のＹＥＳ側）。一方、原稿Ｐが無いと判定されると、制御部５は処理を終了する（Ｓ１６のＮＯ側）。
【００５５】
（ステップＳ１７）
ステップＳ１７において、制御部５は、ＡＤＦ２に原稿Ｐを一枚搬送させ、画像読取部１又はＣＩＳ２６の何れか一方に、原稿Ｐの白紙面が連続しないと判定された第２面を読み取らせる。後述するように、前記画像読取処理において制御部５はステップＳ１７を繰り返し実行し、前記第１読取モードで読み取られなかった残りの原稿Ｐに対して前記第２面のみを前記第２読取モードで画像読取部１又はＣＩＳ２６の何れか一方に読み取らせる。ステップＳ１７の処理は、次の原稿Ｐが無くなるまで制御部５に実行される。ここで、ステップＳ６、ステップＳ１０、及びステップＳ１５乃至ステップＳ１７は、本発明の第２読取ステップの一例に相当する。
【００５６】
（ステップＳ１８）
ステップＳ１８において、制御部５は、ステップＳ１７において読み取った原稿Ｐの前記第２面の画像データをＲＡＭ５Ｃに記憶して、処理をステップＳ１５に移行する。このように、ステップＳ１６乃至ステップＳ１８の処理は、次の原稿Ｐが無くなるまで、制御部５によって繰り返し実行される。具体的には、図５（Ｂ）に示される例では、制御部５は、第２面と判定した図５（Ａ）の表面側の画像Ｆ２を画像読取部１に読み取らせ、画像Ｆ２の画像データをＲＡＭ５Ｃに記憶させる。図６（Ｂ）に示される例では、制御部５は、第２面と判定した図６（Ａ）の裏面側の画像Ｆ１２をＣＩＳ２６に読み取らせ、画像Ｆ１２の画像データをＲＡＭ５Ｃに記憶させる。なお、ステップＳ５及びステップＳ１８は、本発明の画像データ記憶部の一例に相当する。また、ステップＳ６〜Ｓ１０及びステップＳ１５〜Ｓ１８までの処理は、制御部５が本発明の第２読取モードにおいて実行する第２読取処理に相当する。上述したように、前記画像読取処理（ステップＳ１〜Ｓ１８）が行われることにより、制御部５は、前記両面読取モードのうち前記第１読取モード及び前記第２読取モードを順次選択して、前記第１読取処理及び前記第２読取モードを順次実行する。
【００５７】
［再画像読取処理］
前記再読取処理は、前記画像読取処理において、前記第１読取モードでの両面の読み取り処理を終了して（Ｓ１０のＹＥＳ側）、前記第２読取モードでの片面の読み取り処理が行われた（ステップＳ１２）後に、ユーザーの指示によって制御部５が実行する処理である。例えば、ユーザーは、操作表示部６の表示によって、両面の読み取り処理の途中から片面の読み取り処理になったことを知る。これによって、ユーザーは、複数の原稿Ｐに対する前記第２読取モードでの片面の読み取り処理が妥当か否かを判断する。妥当と判断すれば、ユーザーは、画像読取処理の終了後に何ら処理をしない。そのため、制御部５は前記再読取処理を実行しない。一方、妥当でないと判断すれば、ユーザーは、複数の原稿Ｐを再び原稿トレイ２１に載置して、前記再読取処理を制御部５に実行させる。以下、ユーザーによって複数の原稿Ｐが、前記読取処理を実行したときと表裏を同じにして原稿トレイ２１に載置され、操作表示部６に前記再読取処理を実行する指示が入力されたことものとして説明する。なお、前記画像読取処理において前記第１読取処理を中止して前記第２読取処理を開始した場合には、読み取った画像データ、前記トータルカウンターの値、及び前記第１保存値などが制御部５のＲＡＭ５Ｃに記憶されている。前記再読取処理は、前記画像読取処理によって記憶された各情報を用いて、前記画像読取処理に続いて制御部５によって実行される処理であり、前記両面読取モードに含まれる。
【００５８】
（ステップＳ２１、Ｓ２２）
ステップＳ２１において、制御部５は、前記再画像読取信号を受け付けたか否かを判定する。制御部５は、前記再画像読取信号が入力されるまで待つ（Ｓ２１のＮＯ側）。一方、制御部５は、再画像読取信号を受け付けると処理をステップＳ２２に移行する（Ｓ２１のＹＥＳ側）。ステップＳ２２において、制御部５は、前記トータルカウンターの値をリセットする。また、ステップＳ２２を実行する制御部５は、本発明の受付部の一例に相当する。
【００５９】
（ステップＳ２３、Ｓ２４）
ステップＳ２３において、制御部５は、ＡＤＦ２に原稿トレイ２１に載置された原稿Ｐを一枚搬送させる。ステップＳ２４において、制御部５は、前記トータルカウンターの値をインクリメントする。制御部５は、原稿Ｐの画像を読み取らずに搬送だけ行い、その搬送される枚数を数える。
【００６０】
（ステップＳ２５）
ステップＳ２５において、制御部５は、搬送される原稿Ｐの枚数が前記画像読取処理において既に読み取られた枚数に達するか否かを判定する。具体的には、制御部５は、前記トータルカウンターの値と前記第１保存値とを比較して、一致するか否かを判定する。具体的に、図５の例では、トータルカウンターの値が前記第１保存値である４に一致するかを制御部５は判定する。図６の例では、トータルカウンターの値が前記第１保存値である７に一致するかを制御部５は判定する。一致しないと判定すると、制御部５は処理をステップＳ２３に移行する（Ｓ２５のＮＯ側）。一方、一致すると判定すると、制御部５は、ＡＤＦ２による画像読取をしない搬送を終了して、処理をステップＳ２６に移行する（Ｓ２５のＹＥＳ側）。
【００６１】
（ステップＳ２６）
ステップＳ２６において、制御部５は、前記第３読取処理を開始する。制御部５は、画像読取部１及びＣＩＳ２６の何れか一方を原稿Ｐの片面の画像を読み取り可能な状態にし、他方の動作を停止する。これによって、制御部５は、白紙面が続くと判定した面に対してのみ画像を読み取る処理を実行する。
【００６２】
（ステップＳ２７）
ステップＳ２７において、制御部５は、ＡＤＦ２に原稿Ｐを一枚搬送させ、画像読取部１又はＣＩＳ２６の何れか一方に、前記第１面の画像読み取りを実行させる。具体的には、図５（Ｃ）の例では、制御部５は、複数の原稿Ｐのうち、ステップＳ４及びステップＳ１６の処理で読み取られなかった裏面（前記第１面）の画像（図５（Ｃ）における画像Ｆ３）を読み取らせる。図６（Ｃ）の例では、制御部５は、複数の原稿Ｐのうち、ステップＳ４及びステップＳ１６の処理で読み取られていなかった表面（前記第１面）の画像（図６（Ｃ）における画像Ｆ１３）を読み取らせる。
【００６３】
（ステップＳ２８）
ステップＳ２８において、制御部５は、ステップＳ２７において読み取った原稿Ｐの前記第１面の画像データをＲＡＭ５Ｃに記憶して、処理をステップＳ２９に移行する。後述するように、前記再画像読取処理において制御部５はステップＳ２７及びステップＳ２８を繰り返し実行する。これによって、前記画像読取処理の前記第２読取処理で一方の面の画像だけが読み取られた原稿Ｐに対して、前記第３読取処理で他方の面の画像だけを読み取らせる。ステップＳ２７及びステップＳ２８の処理は、次の原稿Ｐがあると判定される（Ｓ２９のＹＥＳ側）場合に、制御部５に繰り返し実行される。なお、ステップＳ２８は、本発明の画像データ記憶部の一例に相当する。
【００６４】
（ステップＳ２９）
ステップＳ２９において、制御部５は、次の原稿Ｐがあるか否かを判定する。原稿Ｐが有ると判定されると、制御部５は処理をステップＳ２７に移行する（Ｓ２９のＹＥＳ側）。一方、原稿Ｐが無いと判定されると、制御部５は処理をステップＳ３０に移行する（Ｓ２９のＮＯ側）。このように、ステップＳ２７〜Ｓ３０の処理は、次の原稿Ｐが無くなるまで、制御部５によって繰り返し実行される。ここで、ステップＳ２６乃至ステップＳ２９は、本発明の第３読取ステップの一例に相当する。また、ステップＳ２６〜Ｓ２６までの処理は、制御部５が本発明の第３読取モードにおいて実行する第３読取処理に相当する。
【００６５】
（ステップＳ３０）
ステップＳ３０において、制御部５は、ＲＡＭ５Ｃに記憶された画像データを関連付けて、前記第１読取処理で読み取られなかった残りの原稿Ｐの両面の画像を前記第１読取処理で読み取られた場合と同様の両面の画像データとなるように編集する。制御部５は、前記画像読取処理の前記第２読取処理で読み取りＲＡＭ５Ｃに記憶された前記第１面の画像データ（図５（Ｂ）の画像Ｆ２の画像データ、図６（Ｂ）の画像Ｆ１２の画像データ）と、前記再読取処理の前記第３読取処理で読み取りＲＡＭ５Ｃに記憶された前記第２面の画像データ（図５（Ｃ）の画像Ｆ３の画像データ、図６（Ｃ）の画像Ｆ１３の画像データ）とを関連付けて１つの前記合成両面画像データにする。制御部５は、前記第１読取処理によって読み取られなかった残りの原稿Ｐの両面の画像データを取得することができる。また、制御部５は、ステップＳ５においてＲＡＭ５Ｃに記憶された前記第１読取両面画像データ（図５（Ｂ）の画像Ｆ１の画像データ、図６（Ｂ）の画像Ｆ１１の画像データ）の最後のアドレスに前記合成両面画像データの先頭のアドレスを関連付けて全体両面画像データとする。制御部５は、途中で前記第１読取処理を中止しなかった場合と同様に、全ての原稿Ｐの両面の画像を取得することができる。なお、ステップＳ３０を実行する制御部５は、本発明の画像編集部の一例に相当する。ステップＳ３０の処理が終了すると、一連の前記再読取処理が終了する。
【００６６】
上述したように、前記画像読取処理（図３）に引き続き前記子画像読取処理（図４）が行われることにより、制御部５は、前記両面読取モードのうち、前記第１読取モード、前記第２読取モード、及び前記第３読取モードを順次選択して、前記第１読取処理、前記第２読取処理、及び前記第３読取処理を順次実行することになる。
【００６７】
［実施形態の効果］
以上説明したように、本発明の複合機１００によれば、原稿Ｐの画像読取中に両面読取処理から片面読取処理へ自動的に変更されたことによって読み取られなかった面の画像を、複数の原稿Ｐの中から選択して読み取ることによって、効率的に前記両面読取モードによる読み取りをすることができる。具体的に、前記第１読取処理を中止して前記第２読取処理を開始した後に、両面が読み取られなかった残りの原稿Ｐを前記第３読取処理によって再読取する場合、既に両面が読み取られた原稿Ｐを重複して読み取らない。前記第３読取処理では、両面が読み取られた原稿Ｐの読み取られなかった面の画像のみを読み取ることができる。これによって、複合機１００による前記両面読取モードを効率よく実行して処理時間を短くすることができる。また、無駄に画像読取部１及びＣＩＳ２６を動作させて、不必要に寿命を縮めることを防止することができる。さらに、本発明の複合機１００は、読み取った原稿Ｐの画像データに含まれる白紙頁を記憶させるための記憶容量及び記憶処理時間を短くしつつ、必要に応じて効率良く前記再読取処理を実行することができる。
【００６８】
［実施形態の変形例１］
画像読取部１のＣＣＤ１６とＡＤＦ２のＣＩＳ２６との２つの前記画像読取部を備えた複合機１００について説明したが、本発明はこれに限るものではない。例えば、画像読取部１のＣＣＤ１６のみを備え、ＣＩＳ２６を有しないものでもよい。画像読取部１は、ＡＤＦ１０２によって搬送される原稿Ｐが読取位置１２Ａを通過する際に、読取位置１２Ａ側の原稿Ｐの片面の画像を撮影する。ＡＤＦ１０２は、原稿トレイ２１に載置された原稿Ｐを上方に載置された原稿Ｐの上方向を表面として順番に読取位置１２Ａを通過させて搬送し、原稿Ｐを反転させたて裏面を向けた状態で読取位置１２Ａを通過させて搬送する。これによって、複合機１０１は、原稿Ｐの両面読取を行うものが考えられる。ここでは、前記実施形態の説明と異なる部分についてのみ説明し、同じ構成及び同じ処理についての説明を省略する。
【００６９】
図７を参照しつつ、複合機１０１が備えるＡＤＦ１０２の詳細について説明する。原稿カバー２Ａに設けられたＡＤＦ１０２は、ＡＤＦ１０２の構成に加え更に、スイッチバックローラー４１、及び搬送ドラム４２を備える。スイッチバックローラー４１は、搬送路４４を挟むように設けられ、正回転することにより、画像が読み取られた原稿Ｐを排紙部２５へ搬送する。また、スイッチバックローラー４１は、逆回転することにより、画像が読み取られた原稿Ｐを反転搬送路４５に搬送する。搬送ドラム４２は、搬送ローラー２３各々と共に搬送路４４及び反転搬送路４５を形成しており、給送機構２２により取り込まれた原稿Ｐを搬送する。反転搬送路４５は、読取位置１２Ａよりも上流側で搬送路４４と合流しており、スイッチバックローラー４１からの原稿Ｐが搬送路４４との合流点まで通過する。反転搬送路４５を通過した原稿Ｐは、画像が読み取られた面と画像が読み取れていない面との表裏が逆の状態になる。表裏が反転された原稿Ｐは、搬送ローラー２３各々と搬送ドラム４２により読取位置１２Ａを通過させて排紙部２５まで搬送される。
【００７０】
ＡＤＦ１０２を備える複合機１０１において、前記第３読取処理を実行する際に、原稿トレイ２１に載置された原稿Ｐの上側の面である表面を前記第１面として読み取らせる方法と、原稿Ｐの裏面を前記第１面として読み取らせる方法とがある。そのため、前記第３読取処理には、搬送ローラー２３各々によって複数の原稿Ｐを連続搬送させて原稿Ｐの表面を画像のある前記第１面としてＣＣＤ１６に読み取らせる第１片面読取処理、及び搬送ローラー２３各々によって複数の原稿Ｐを連続搬送させて原稿Ｐの裏面を画像のある前記第１面としてＣＣＤ１６に読み取らせる第２片面読取処理がある。そこで、前記再読取処理を実行する際に、操作表示部６から制御部５に入力される前記再読取信号には、前記第１片面読取処理又は前記第２片面読取処理のいずれかを実行させるための選択指示も含まれる。制御部５は、入力された何れかの一方の片面読取モードでＡＤＦ１０２及びＣＣＤ１６を実行させる。
【００７１】
前記再画像読取処理において、前記第３読取処理を前記第１片面読取処理で実行する場合、制御部５は、実施形態と同様に処理を実行する。制御部５は、既に両面を読み取った原稿Ｐを未読搬送した後に、前記第２面のみを読み取った原稿Ｐの前記第１面を読み取る。
【００７２】
前記再画像読取処理において、前記第３読取処理を前記第２片面読取処理で実行する場合、制御部５は、実施形態と異なる処理を実行する。原稿トレイ２１に載置された原稿Ｐの表裏の向きが逆になり、ＡＤＦ１０２により搬送される順番が、前記画像読取処理時の最後の頁から最初の頁の順に搬送される。そのため、制御部５は、先に前記第２面のみを読み取った原稿Ｐの前記第１面を読み取り、その後に、既に両面を読み取った原稿Ｐを未読搬送する。更に、制御部５は、読み取った原稿Ｐの前記第１面の画像データの順番を逆にしてＲＡＭ５Ｃに保存する。なお、前記第２片面読取処理で原稿Ｐの画像を読み取る場合、制御部５は、前記画像読取処理において搬送される原稿Ｐのトータル枚数を記憶しておく必要がある。これによって、ユーザーは、複数の原稿Ｐを原稿トレイ２１に載置して前記再読取処理を実行する際に、前記第３読取処理により読み取らせる面を表にすることによって、処理時間を短くすることができる。
【００７３】
［実施形態の変形例２］
前記再読取処理のステップＳ２８において、ＲＡＭ５Ｃに記憶された画像データを関連付ける場合について説明したが、本発明はこれに限るものではない。例えば、複合機１００に複数の原稿Ｐを前記画像読取処理により読み取って、両面コピーを実行することが考えられる。この場合、前記画像読取処理のステップ１０において、制御部５は、前記白紙枚数カウンターの値と前記設定枚数とが一致すると判定すると、両面コピーを中止する（Ｓ１０のＹＥＳ側）。その後、前記再読取処理のステップＳ３０において、制御部５は、前記第２読取処理で読み取られた前記第１面の画像データと、前記第３読取処理で読み取られた前記第２面の画像データとを関連付けた合成両面画像データを両面コピーする。これによって、複合機１００は、コピーされる用紙が無駄になることを防ぐことができる。これによって、前記第２読取処理で読み取られた片面の画像データに基づいて、片面のみ画像が形成された用紙を印刷済みの用紙から選択して廃棄していた煩雑な作業をなくすことができる。
【００７４】
また、ステップＳ３０において、制御部５は、空白頁を除いて画像データを関連付けることが考えられる。これによって、制御部５は、画像データに基づく画像を画像形成部３で形成させる際に、空白頁の部分を詰めて用紙Ｓを形成することができる。これによって、複合機１００は、形成される用紙Ｓの量を削減することができる。
【００７５】
本開示の範囲は、請求項の記載に先行する詳細な説明ではなく、添付の請求項の記載により定義されるので、本明細書に記載の実施形態は、例示に過ぎず、かつ非限定的であると理解されたい。従って、特許請求の範囲から逸脱しない変更の全て、または均等物が、請求の範囲に含まれる。
【符号の説明】
【００７６】
１００：複合機
１：画像読取部
２：ＡＤＦ
３：画像形成部
５：制御部
６：操作表示部
１６：ＣＣＤ
２１：原稿トレイ
２２：給送機構
２３：搬送ローラー
２６：ＣＩＳ
５１：第１読取制御部
５２：判定部
５３：第２読取制御部
５４：記憶部
５５：受付部
５６：第３読取制御部
５７：画像編集部
５８：報知部
【図１】
2015122630.tif 000003
【図２】
2015122630.tif 000004
【図３】
2015122630.tif 000005
【図４】
2015122630.tif 000006
【図５】
2015122630.tif 000007
【図６】
2015122630.tif 000008
【図７】
2015122630.tif 000009